(57)【要約】【課題】家電機器を遠隔操作する際のセキュリティを向上することを目的とする。【解決手段】ＨＥＭＳが所定期間毎にパスワードを生成し、ユーザのパスワードの発行要求が行われた場合に、所定期間毎に発生されたパスワードを表示することでパスワードを発行する。ユーザは、表示されたパスワードを確認して、携帯端末装置を操作して家電機器を遠隔操作する際に、パスワード、予め定めたＩＤ、及び操作コマンドを入力し、入力された情報をサーバに送信する。そして、サーバでは、携帯端末装置から送信される情報をＩＤに対応するＨＥＭＳへ送信する。これによって、ＨＥＭＳでは、サーバから送信されるパスワードと、発行されている最新のパスワードとを照合して一致する場合に、操作コマンドで指示された制御に対応する動作を行うように家電機器を制御する。操作コマンドとしては、家電機器の動作内容の他に、優先的に供給する電力等を含む。【選択図】図４
2013026979.tif 000002
【特許請求の範囲】
【請求項１】
家電機器を遠隔操作するためのパスワードであって所定期間毎に更新されるパスワードを表示する表示手段と、
家電機器を遠隔操作する際に入力された入力パスワード、遠隔操作対象の家電機器及び該家電機器の操作内容を表す操作情報、並びに複数種類の電力の中から前記家電機器を動作させる際に優先的に供給する電力を表す電力情報を受信する受信手段と、
前記入力パスワードと、前記パスワードとを照合して一致する場合に、前記操作情報に基づく動作が行われるように遠隔操作対象の家電機器を制御すると共に、前記電力情報に基づく電力を当該家電機器へ優先的に供給するように制御する制御手段と、
を備えた住宅電力制御システム。
【請求項２】
前記入力パスワード、前記操作情報、及び前記電力情報を入力するための外部入力手段を更に備え、前記受信手段が前記外部入力手段の入力結果を受信する請求項１に記載の住宅電力制御システム。
【請求項３】
前記入力パスワード、前記操作情報、前記電力情報、及び遠隔操作対象の家電機器を制御する前記制御装置を識別するための識別情報を入力するための外部入力装置より送信された前記識別情報に基づいて、遠隔操作対象の家電機器を制御する前記制御装置を特定し、特定した前記制御装置の前記受信手段へ前記外部入力手段によって入力された、前記入力パスワード、前記操作情報、及び前記電力情報を転送する転送サーバを更に備えた請求項１に記載の住宅電力制御システム。
【請求項４】
外部から送信された、家電機器を遠隔操作するためのパスワードを表示する表示手段と、
遠隔操作対象の家電機器及び該家電機器の操作内容を表す操作情報、並びに複数種類の電力の中から前記家電機器を動作させる際に優先的に供給する電力を表す電力情報を外部から受信する受信手段と、
前記受信手段によって受信した前記操作情報に基づく動作が行われるように遠隔操作対象の家電機器を制御すると共に、前記電力情報に基づく電力を当該家電機器へ優先的に供給するように制御する制御手段と、
を有する、住宅の電力供給を制御する制御装置と、
前記パスワードを所定期間毎に更新して前記表示手段へ送信する送信手段と、
家電機器を遠隔操作する際に入力する入力パスワード、前記操作情報、前記電力情報、及び遠隔操作対象の家電機器を制御する前記制御装置を識別するための識別情報を入力するための外部入力装置の入力結果を受信する外部受信手段と、
前記外部受信手段によって受信した前記入力パスワードと、所定期間毎に更新された前記パスワードとを照合して一致する場合に、前記外部受信手段によって受信した前記識別情報に基づいて、特定した前記制御装置へ前記外部受信手段によって受信した前記操作情報及び前記電力情報を転送する転送手段と、
を有するサーバと、
を備えた住宅電力制御システム。
【請求項５】
家電機器を遠隔操作するためのパスワードを所定期間毎に更新して表示する表示手段と、
家電機器を遠隔操作する際に入力される入力パスワード、遠隔操作対象の家電機器及び該家電機器の操作内容を表す操作情報、並びに複数種類の電力の中から前記家電機器を動作させる際に優先的に供給する電力を表す電力情報を入力するための外部入力手段の入力結果を受信する受信手段と、
前記受信手段によって受信した前記入力パスワードと、前記パスワードとを照合して一致する場合に、前記操作情報に基づく動作が行われるように遠隔対象の家電機器を制御すると共に、前記電力情報に基づく電力を当該家電機器へ優先的に供給するように制御する制御手段と、
を備えた住宅電力制御装置。
【請求項６】
家電機器を遠隔操作するためのパスワードを所定期間毎に更新する更新手段と、家電機器を遠隔操作する際に入力する入力パスワード、遠隔操作対象の家電機器及び該家電機器の操作内容を表す操作情報、並びに複数種類の電力の中から前記家電機器を動作させる際に優先的に供給する電力を表す電力情報を入力するための外部入力手段の入力結果を受信する外部受信手段と、前記外部受信手段によって受信した前記入力パスワードと、前記更新手段によって更新された前記パスワードとを照合して一致する場合に、前記操作情報及び前記電力情報を外部へ転送する転送手段と、を備えたサーバから、前記更新手段によって更新された前記パスワードを取得して表示する表示手段と、
前記転送手段によって転送された前記操作情報及び前記電力情報を受信する受信手段と、
前記受信手段によって前記操作情報及び前記電力情報を受信した場合に、前記操作情報に基づく動作が行われるように遠隔操作対象の家電機器を制御すると共に、前記電力情報に基づく電力を当該家電機器へ優先的に供給するように制御する制御手段と、
を備えた住宅電力制御装置。
【発明の詳細な説明】
【技術分野】
【０００１】
本発明は、住宅電力制御システム及び住宅電力制御装置にかかり、特に、セキュリティ機能を備えた住宅電力制御システム及び住宅電力制御装置に関する。
【背景技術】
【０００２】
従来、サーバネットワークシステムを利用して家電機器を制御する技術が提案されている。
【０００３】
例えば、特許文献１に記載の技術では、サーバネットワークシステムを利用して、総合コールセンタ（サーバ）が家電機器の状態を取得し、取得した状態から家電機器の診断を行い、トラブルが発生している家電機器を判定して、判定された家電機器のアクセス情報をメーカコールセンタのＰＣにネットワークを介して送信することが提案されている。
【先行技術文献】
【特許文献】
【０００４】
【特許文献１】特開２０１０−１２８７２８号公報
【発明の概要】
【発明が解決しようとする課題】
【０００５】
しかしながら、特許文献１に記載の技術では、サーバが予め登録されたＩＰアドレスを用いて家電機器の状態を取得するようにしているが、ＩＰアドレスが予め登録された１つのものであると共に、アクセス制限などについては考慮されていないので、セキュリティを考慮すると改善の余地がある。
【０００６】
本発明は、上記事実を考慮して成されたもので、家電機器を遠隔操作する際のセキュリティを向上することを目的とする。
【課題を解決するための手段】
【０００７】
上記目的を達成するために請求項１に記載の発明は、家電機器を遠隔操作するためのパスワードであって所定期間毎に更新されるパスワードを表示する表示手段と、家電機器を遠隔操作する際に入力された入力パスワード、遠隔操作対象の家電機器及び該家電機器の操作内容を表す操作情報、並びに複数種類の電力の中から前記家電機器を動作させる際に優先的に供給する電力を表す電力情報を受信する受信手段と、前記入力パスワードと、前記パスワードとを照合して一致する場合に、前記操作情報に基づく動作が行われるように遠隔操作対象の家電機器を制御すると共に、前記電力情報に基づく電力を当該家電機器へ優先的に供給するように制御する制御手段と、を備えることを特徴としている。
【０００８】
請求項１に記載の発明によれば、表示手段では、家電機器を遠隔操作するためのパスワードであって所定期間毎に更新されるパスワードが表示される。すなわち、表示手段に表示されたパスワードを用いて家電機器を遠隔操作することが可能となる。
【０００９】
受信手段では、家電機器を遠隔操作する際に入力された入力パスワード、遠隔操作対象の家電機器及び家電機器の操作内容を表す操作情報、並びに複数種類の電力の中から家電機器を動作させる際に優先的に供給する電力を表す電力情報が受信される。
【００１０】
そして、制御手段では、受信手段によって受信した入力パスワードと、所定期間毎に更新されたパスワードとを照合して一致する場合に、操作情報に基づく動作が行われるように遠隔操作対象の家電機器が制御されると共に、受信手段によって受信した電力情報に基づく電力を当該家電機器へ優先的に供給するように制御される。
【００１１】
すなわち、パスワードが所定期間毎に更新されて表示手段に表示されるので、同じパスワードを常に使い続けるよりもセキュリティを向上することができる。さらに、家電機器を遠隔操作する際の使用する電力を電力情報で指定することもできるので、利便的な遠隔操作が可能となる。
【００１２】
また、請求項２に記載の発明のように、入力パスワード、操作情報、及び電力情報を入力するための外部入力手段を更に備えて、受信手段が外部入力手段の入力結果を受信するようにしてもよい。例えば、外部入力手段としては、モバイルコンピュータや携帯電話等の携帯端末装置を適用することができる。
【００１３】
また、請求項３に記載の発明のように、前記入力パスワード、前記操作情報、前記電力情報、及び遠隔操作対象の家電機器を制御する前記制御装置を識別するための識別情報を入力するための外部入力装置より送信された前記識別情報に基づいて、遠隔操作対象の家電機器を制御する前記制御装置を特定し、特定した前記制御装置の前記受信手段へ前記外部入力手段によって入力された、前記入力パスワード、前記操作情報、及び前記電力情報を転送する転送サーバを更に備えるようにしてもよい。
【００１４】
すなわち、請求項３に記載の発明によれば、住宅の電力供給を制御する制御装置は、表示手段、受信手段、及び制御装置を備えている。
【００１５】
表示手段では、家電機器を遠隔操作するためのパスワードを所定期間毎に更新して表示される。すなわち、表示手段に表示されたパスワードを用いて家電機器を遠隔操作することが可能となる。
【００１６】
受信手段では、家電機器を遠隔操作する際に入力される入力パスワード、遠隔操作対象の家電機器及び該家電機器の操作内容を表す操作情報、並びに複数種類の電力の中から家電機器を動作させる際に優先的に供給する電力を表す電力情報が外部の転送サーバから受信される。
【００１７】
そして、制御手段では、受信手段によって受信した入力パスワードと、所定期間毎に更新されたパスワードとを照合して一致する場合に、操作情報に基づく動作が行われるように遠隔操作対象の家電機器が制御されると共に、電力情報に基づく電力を当該家電機器へ優先的に供給するように制御される。
【００１８】
一方、転送サーバでは、入力パスワード、操作情報、電力情報、及び遠隔操作対象の家電機器を制御する制御装置を識別するための識別情報を入力するための外部入力装置より送信された識別情報に基づいて、遠隔操作対象の家電機器を制御する制御装置を特定し、特定した制御装置の受信手段へ外部入力手段によって入力された、入力パスワード、操作情報、及び電力情報が転送される。
【００１９】
すなわち、外部入力装置によって家電機器を遠隔操作する指示を行う際に、転送サーバが対象の制御装置を特定して、遠隔操作する際に必要な情報を制御装置に転送することにより、パスワードの照合が制御装置で行われて、遠隔操作を行うことが可能となる。
【００２０】
また、制御装置側で所定時間毎にパスワードが更新されて表示されるので、同じパスワードを常に使い続けるよりもセキュリティを向上することができる。さらに、家電機器を遠隔操作する際の使用する電力を電力情報で指定することもできるので、利便的な遠隔操作が可能となる。
【００２１】
請求項４に記載の発明は、外部から送信された、家電機器を遠隔操作するためのパスワードを表示する表示手段と、遠隔操作対象の家電機器及び該家電機器の操作内容を表す操作情報、並びに複数種類の電力の中から前記家電機器を動作させる際に優先的に供給する電力を表す電力情報を外部から受信する受信手段と、前記受信手段によって受信した前記操作情報に基づく動作が行われるように遠隔操作対象の家電機器を制御すると共に、前記電力情報に基づく電力を当該家電機器へ優先的に供給するように制御する制御手段と、を有する、住宅の電力供給を制御する制御装置と、前記パスワードを所定期間毎に更新して前記表示手段へ送信する送信手段と、家電機器を遠隔操作する際に入力する入力パスワード、前記操作情報、前記電力情報、及び遠隔操作対象の家電機器を制御する前記制御装置を識別するための識別情報を入力するための外部入力装置の入力結果を受信する外部受信手段と、前記外部受信手段によって受信した前記入力パスワードと、所定期間毎に更新された前記パスワードとを照合して一致する場合に、前記外部受信手段によって受信した前記識別情報に基づいて、特定した前記制御装置へ前記外部受信手段によって受信した前記操作情報及び前記電力情報を転送する転送手段と、を有するサーバと、を備えることを特徴としている。
【００２２】
請求項４に記載の発明によれば、住宅の電力供給を制御する制御装置は、表示手段、受信手段、及び制御装置を備えている。
【００２３】
表示手段では、外部のサーバから送信された、家電機器を遠隔操作するためのパスワードが表示される。
【００２４】
受信手段では、遠隔操作対象の家電機器及び該家電機器の操作内容を表す操作情報、並びに複数種類の電力の中から前記家電機器を動作させる際に優先的に供給する電力を表す電力情報が外部のサーバから受信される。
【００２５】
そして、制御手段では、受信手段によって受信した操作情報に基づく動作が行われるように遠隔操作対象の家電機器を制御すると共に、電力情報に基づく電力を当該家電機器へ優先的に供給するように制御される。
【００２６】
一方、サーバは、送信手段、外部受信手段、及び転送手段を備えており、送信手段では、家電機器を遠隔操作するためのパスワードを所定期間毎に更新して前記表示手段へ送信される。これによって制御装置の表示手段では、所定期間毎に更新されたパスワードが表示されることになる。
【００２７】
外部受信手段では、家電機器を遠隔操作する際に入力する入力パスワード、操作情報、電力情報、及び遠隔操作対象の家電機器を制御する前記制御装置を識別するための識別情報を入力するための外部入力装置の入力結果が受信される。
【００２８】
そして、転送手段では、外部受信手段によって受信した入力パスワードと、所定期間毎に更新されたパスワードとを照合して一致する場合に、外部受信手段によって受信した識別情報に基づいて、特定した前記制御装置へ外部受信手段によって受信した操作情報及び電力情報が転送される。
【００２９】
すなわち、外部入力装置から入力パスワード、操作情報、電力情報、及び識別情報をサーバへ送信することにより、サーバで遠隔操作対象の家電機器を制御する制御装置が特定されると共に、パスワードの照合が行われ、パスワードが一致する場合に、操作情報及び電力情報が制御装置へ転送されることにより、遠隔操作対象の家電機器が制御装置によって制御されて、家電機器の遠隔操作が可能となる。
【００３０】
また、サーバ側で所定時間毎にパスワードが更新されるので、同じパスワードを常に使い続けるよりもセキュリティを向上することができる。さらに、家電機器を遠隔操作する際の使用する電力を電力情報で指定することもできるので、利便的な遠隔操作が可能となる。
【００３１】
請求項５に記載の発明は、家電機器を遠隔操作するためのパスワードを所定期間毎に更新して表示する表示手段と、家電機器を遠隔操作する際に入力される入力パスワード、遠隔操作対象の家電機器及び該家電機器の操作内容を表す操作情報、並びに複数種類の電力の中から前記家電機器を動作させる際に優先的に供給する電力を表す電力情報を入力するための外部入力手段の入力結果を受信する受信手段と、前記受信手段によって受信した前記入力パスワードと、前記パスワードとを照合して一致する場合に、前記操作情報に基づく動作が行われるように遠隔対象の家電機器を制御すると共に、前記電力情報に基づく電力を当該家電機器へ優先的に供給するように制御する制御手段と、を備えることを特徴としている。
【００３２】
請求項５に記載の発明によれば、表示手段では、家電機器を遠隔操作するためのパスワードが所定期間毎（例えば、発行要求が行われる毎や所定時間毎）に更新されて表示される。
【００３３】
受信手段では、家電機器を遠隔操作する際に入力される入力パスワード、遠隔操作対象の家電機器及び該家電機器の操作内容を表す操作情報、並びに複数種類の電力の中から家電機器を動作させる際に優先的に供給する電力を表す電力情報を入力するための外部入力手段の入力結果が受信される。
【００３４】
すなわち、表示手段によって所定期間毎にパスワードが更新されて表示されるので、表示手段に表示されたパスワードを用いて家電機器を遠隔操作することが可能となる。
【００３５】
そして、遠隔操作を行う際には、確認したパスワードを外部入力手段により入力することで家電機器の遠隔操作を指示し、パスワードの照合を制御手段が行うことにより、遠隔操作が可能となる。
【００３６】
従って、所定期間毎にパスワードが更新されて表示手段に表示されるので、同じパスワードを常に使い続けるよりもセキュリティを向上することができる。さらに、家電機器を遠隔操作する際の使用する電力を電力情報で指定することもできるので、利便的な遠隔操作が可能となる。
【００３７】
請求項６に記載の発明は、家電機器を遠隔操作するためのパスワードを所定期間毎に更新する更新手段と、家電機器を遠隔操作する際に入力する入力パスワード、遠隔操作対象の家電機器及び該家電機器の操作内容を表す操作情報、並びに複数種類の電力の中から前記家電機器を動作させる際に優先的に供給する電力を表す電力情報を入力するための外部入力手段の入力結果を受信する外部受信手段と、前記外部受信手段によって受信した前記入力パスワードと、前記更新手段によって更新された前記パスワードとを照合して一致する場合に、前記操作情報及び前記電力情報を外部へ転送する転送手段と、を備えたサーバから、前記更新手段によって更新された前記パスワードを取得して表示する表示手段と、
前記転送手段によって転送された前記操作情報及び前記電力情報を受信する受信手段と、前記受信手段によって前記操作情報及び前記電力情報を受信した場合に、前記操作情報に基づく動作が行われるように遠隔操作対象の家電機器を制御すると共に、前記電力情報に基づく電力を当該家電機器へ優先的に供給するように制御する制御手段と、を備えることを特徴としている。
【００３８】
請求項６に記載の発明によれば、サーバは、更新手段、外部受信手段、及び転送手段を備えており、更新手段では家電機器を遠隔操作するためのパスワードが所定期間毎に更新され、外部入力手段によって入力された入力パスワード、操作情報、及び電力情報が外部受信手段によって受信され、転送手段では、入力パスワードとパスワードとを照合して一致する場合に、操作情報及び電力情報が遠隔操作対象の家電機器を制御する制御手段に転送される。
【００３９】
表示手段では、上記サーバから更新手段によって更新されたパスワードを取得して表示される。すなわち、サーバによって更新されたパスワードが表示手段に表示されるので、当該パスワードを利用して家電機器の遠隔操作が可能となる。
【００４０】
また、受信手段では、転送手段によって転送された操作情報及び電力情報が受信され、制御手段では、受信手段によって操作情報及び電力情報を受信した場合に、操作情報に基づく動作が行われるように遠隔操作対象の家電機器が制御されると共に、電力情報に基づく電力を当該家電機器へ優先的に供給するように制御される。
【００４１】
すなわち、サーバ側で所定期間毎にパスワードを更新すると共に、パスワードの照合をサーバ側で行うことによっても家電機器の遠隔操作が可能となる。
【００４２】
従って、サーバにおいて所定期間毎にパスワードを更新し、更新したパスワードを表示手段に表示し、サーバでパスワードを照合するようにしても、同じパスワードを常に使い続けるよりもセキュリティを向上することができる。さらに、家電機器を遠隔操作する際の使用する電力を電力情報で指定することもできるので、利便的な遠隔操作が可能となる。
【発明の効果】
【００４３】
以上説明したように本発明によれば、所定期間毎にパスワードを更新して表示する構成を有するので、家電機器を遠隔操作する際のセキュリティを向上することができる、という効果がある。
【図面の簡単な説明】
【００４４】
【図１】本発明の第１実施形態に係わる住宅電力制御システムの概略構成を示すブロック図である。
【図２】ＨＥＭＳを備えた住宅側の概略構成を示す図である。
【図３】ＨＥＭＳの詳細な構成を示すブロック図である。
【図４】本発明の第１実施形態に係わる住宅電力制御システムで行われるパスワードを用いたセキュリティ制御を説明するための図である。
【図５】本発明の第１実施形態に係わる住宅電力制御システムにおけるＨＥＭＳで行われる処理の流れの一例を示すフローチャートである。
【図６】本発明の第１実施形態に係わる住宅電力制御システムにおけるサーバで行われる処理の流れの一例を示すフローチャートである。
【図７】本発明の第２実施形態に係わる住宅電力制御システムで行われるパスワードを用いたセキュリティ制御を説明するための図である。
【図８】本発明の第２実施形態に係わる住宅電力制御システムにおけるＨＥＭＳで行われる処理の流れの一例を示すフローチャートである。
【図９】本発明の第２実施形態に係わる住宅電力制御システムにおけるサーバで行われる処理の流れの一例を示すフローチャートである。
【発明を実施するための形態】
【００４５】
以下、図面を参照して本発明の実施の形態の一例を詳細に説明する。図１は、本発明の第１実施形態に係わる住宅電力制御システムの概略構成を示すブロック図である。
【００４６】
図１に示すように、本発明の実施の形態に係わる住宅電力制御システム１０は、住宅に設けられたＨＥＭＳ（Home Energy Management System）１２、サーバ１４、及びモバイルコンピュータや携帯電話等の携帯端末装置１６がインターネット等のネットワーク１８に接続されて構成されている。
【００４７】
ＨＥＭＳ１２は、住宅に設けられた家電機器２０等への電力供給を制御すると共に、家電機器２０の動作開始等の制御を行う。本実施の形態では、ネットワーク１８に接続された携帯端末装置１６から家電機器２０の遠隔制御が可能とされている。例えば、エアコン等の家電機器２０の動作開始の指示を携帯端末装置１６から行うことにより、ＨＥＭＳ１２がエアコンの動作開始を制御するなどの制御が可能とされている。
【００４８】
サーバ１４は、本実施の形態では、携帯端末装置１６からの遠隔操作指示（操作コマンド）等を中継して、対応する住宅のＨＥＭＳ１２等へ送信する機能を備えている。
【００４９】
図２は、ＨＥＭＳ１２を備えた住宅側の概略構成を示す図である。
【００５０】
ＨＥＭＳ１２が設けられた各住宅２２は、図２に示すように、太陽光発電装置２８や蓄電池３０を備えており、太陽光発電装置２８による発電電力、蓄電池３０の蓄電電力（発電電力や系統電力２６により充電）、及び系統電力２６を含む電力供給源から分電盤２４を介して住宅２２内へ電力を供給するようになっている。これらの電力源からの電力供給制御がＨＥＭＳ１２によって行われるようになっている。  
【００５１】
また、分電盤２４には、ハイブリッド自動車や電気自動車等の自動車３４に搭載された車両用蓄電池３６を充電するための充電スタンド３２が接続されており、上述した太陽光発電装置２８による発電電力、蓄電池３０の蓄電電力、及び系統電力２６を車両用蓄電池３６に供給して充電することが可能とされている。また、車両用蓄電池３６の電力を充電スタンド３２及び分電盤２４を介して住宅２２内へ供給することも可能とされている。
【００５２】
続いて、ＨＥＭＳ１２の詳細な構成について説明する。図３は、ＨＥＭＳ１２の詳細な構成を示すブロック図である。
【００５３】
ＨＥＭＳ１２は、コンピュータを含んで構成されており、図３に示すように、ＣＰＵ４０、ＲＯＭ４２、ＲＡＭ４４、及び入出力ポート４６を備えて、これらがアドレスバス、データバス、及び制御バス等のバス４８を介して互いに接続されている。
【００５４】
入出力ポート４６には、各種入出力機器として、表示部５０、操作部５２、及び記憶部５４が接続されている。なお、表示部５０及び操作部５２は一体で構成され、操作部５２は、表示部５０に設けられたタッチパネルを適用するようにしてもよい。
【００５５】
記憶部５４には、住宅２２内の電力供給に関する制御などを行うための各種プログラムや、プログラムを実行するための各種情報等が記憶され、記憶部５４に記憶されたプログラムをＲＡＭ４４等に展開してＣＰＵ４０が実行することにより、各種制御が行われる。
【００５６】
さらに、入出力ポート４６には、分電盤２４、家電機器２０、及び充電スタンド３２が接続されており、それぞれがＨＥＭＳ１２によって制御される。
【００５７】
また、入出力ポート４６は、上述したネットワーク１８に接続されており、ネットワーク１８に接続されたセンターサーバ１４や携帯端末装置１６との情報の授受が可能とされている。
【００５８】
なお、携帯端末装置１６やサーバ１４についても、ＨＥＭＳ１２と同様に、ＣＰＵ、ＲＯＭ、ＲＡＭ、入出力ポート、表示部、操作部、及び記憶部等を備えた一般的なコンピュータの構成を有しており、基本的な概略構成は同様であるため詳細な説明は省略する。
【００５９】
ところで、本発明の実施の形態に係わる住宅電力制御システム１０では、住宅２２内の家電機器２０を携帯端末装置１６から遠隔操作可能とされているが、遠隔操作を行うにあったってパスワードを用いたセキュリティ制御を行うようになっている。このときパスワードは、セキュリティを向上するために、所定期間毎に発行するようになっており、本実施の形態では、ＨＥＭＳ１２がパスワードを発行する場合（第１実施形態）と、サーバ１４がパスワードを発行する場合（第２実施形態）とがある。以下では、それぞれの場合について詳細に説明する。
（第１実施形態）
第１実施形態では、家電機器２０を遠隔操作する際のパスワード発行をＨＥＭＳ１２で行う場合について説明する。
【００６０】
具体的には、図４に示すように、ＨＥＭＳ１２が所定期間毎にパスワードを生成し、ユーザがＨＥＭＳ１２の操作部等を操作することによってパスワードの発行要求が行われた場合に、所定期間毎に発生されたパスワードを表示部５０に表示することによってパスワードを発行する。
【００６１】
ユーザは、表示部５０に表示されたパスワードを確認して、外出先等から携帯端末装置１６を操作して家電機器２０を遠隔操作する際に、パスワード、予め定めたＩＤ（ＨＥＭＳ１２を識別するための識別情報等）、及び操作コマンド（操作対象の家電機器２０及び当該操作の操作内容を少なくとも含む操作情報）を携帯端末装置１６に入力することにより、携帯端末装置１６から入力された情報をサーバ１４に送信する。
【００６２】
そして、サーバ１４では、ＨＥＭＳを特定するためのＩＤと、当該ＩＤに対応するアドレス情報（ＩＰアドレス等）を予め記憶しておくことにより、携帯端末装置１６から送信される情報（ＩＤ、パスワード、及び操作コマンド）を対応するＨＥＭＳ１２へ転送する。
【００６３】
これによって、ＨＥＭＳ１２では、サーバ１４から送信されるパスワードと、発行されている最新のパスワードとを照合して一致する場合に、操作コマンドで指示された制御に対応する動作を行うように家電機器２０を制御する。例えば、ＨＡ端子制御等を利用して家電機器２０を制御する。これによってセキュリティを向上した遠隔制御を行うことができる。
【００６４】
また、操作コマンドとしては、家電機器の動作開始などの操作コマンドの他に、優先的に供給する電力を表す電力情報を含めることが可能とされ、ＨＥＭＳでは、操作コマンドに含まれる電力情報が指定する電力を優先的に供給するように制御するようになっている。すなわち、太陽光発電装置２８からの電力を優先するのか、蓄電池３０の蓄電電力の供給を優先するか、或いは他の電力（系統電力２６や車両用蓄電池３６など）の供給を優先するのか等についても遠隔制御が可能とされている。なお、操作コマンドとして使用可能な電力を自動的に選択する指示を電力情報として含むようにしてもよいし、予め定めた優先順位で電力を供給する指示を操作コマンドに含むようにしてもよい。
【００６５】
次に、上述のように構成された本発明の第１実施形態に係わる住宅電力制御システム１０で行われる具体的な処理について説明する。なお、以下では、携帯端末装置１６の処理は、操作コマンドの入力及び送信、並びにパスワード不整合時の通知が行われる程度であるため、詳細な説明は省略する。
【００６６】
まず、ＨＥＭＳ１２で行われる処理について説明する。図５は、本発明の第１実施形態に係わる住宅電力制御システム１０におけるＨＥＭＳ１２で行われる処理の流れの一例を示すフローチャートである。
【００６７】
ステップ１００では、パスワード発行要求操作が行われたか否かが判定される。該判定は、パスワード発行を要求する操作が操作部５２によって行われたか否かをＣＰＵ４０が判定し、該判定が肯定された場合にはステップ１０２へ移行し、否定された場合にはステップ１１０へ移行する。
【００６８】
ステップ１０２では、パスワードが生成されてステップ１０４へ移行する。すなわち、遠隔操作を行うためのパスワードが更新される。なお、当該処理では、パスワードは所定期間としては操作部５２によってパスワードの発行要求が行われる毎に発行するものとして説明するが、これに限るものではなく、例えば、所定期間として予め定めた時間経過毎にパスワードを生成するようにしてもよい。
【００６９】
ステップ１０４では、生成されたパスワードが表示部５０に表示されてステップ１０６へ移行する。これによってユーザは家電機器２０を遠隔操作する際の最新のパスワードを表示部５０を確認することで確認することができる。なお、パスワードを所定時間毎に発行する場合にはパスワードを表示部５０に表示する際に、パスワードの有効時間等を予め定めておき同時に表示するようにしてもよい。
【００７０】
ステップ１０６では、所定時間経過したか否か判定され、所定時間経過するまで待機してステップ１０８へ移行する。
【００７１】
ステップ１０８では、ＨＥＭＳ１２を操作するための予め定めたメイン画面が表示されてステップ１１０へ移行する。すなわち、発行されたパスワードの表示をメインに行われる画面が所定時間表示された後にメイン画面へ移行する。なお、このとき、最新のパスワードをメイン画面の所定の位置に表示するようにしてもよい。これによって他の住人が新たにパスワード発行要求を行って直ぐにパスワードが更新されてしまうことを防止するようにしてもよい。また、本実施形態では、所定時間経過後にメイン画面へ移行するものとするが、メイン画面へ移行指示が行われた場合にメイン画面へ移行するようにしてもよい。
【００７２】
ステップ１１０では、パスワード及び操作コマンドを受信したか否かがＣＰＵ４０によって判定される。すなわち、携帯端末装置１６によって遠隔操作が指示され、当該遠隔操作に伴うパスワード及び操作コマンドをサーバ１４から受信したか否かが判定され、該判定が否定された場合にはステップ１００に戻って上述の処理が繰り返され、判定が肯定された場合にはステップ１１２へ移行する。
【００７３】
ステップ１１２では、パスワードが一致するか否かがＣＰＵ４０によって判定され、該判定が肯定された場合にはステップ１１４へ移行し、否定された場合にはステップ１１６へ移行する。
【００７４】
ステップ１１４では、操作コマンドに対応する制御が実行されてステップ１１８へ移行する。すなわち、携帯端末装置１６からサーバ１４経由で送信された操作コマンドに対応する処理が行われるように家電機器２０がＨＥＭＳ１２によって制御され、遠隔操作が行われる。また、操作コマンドに優先的に供給する電力を指示する電力情報が含まれている場合には、操作コマンドで指示された電力を家電機器２０へ供給するように電力供給が制御される。より具体的には、操作コマンドで指示された電力が家電機器へ供給されるように分電盤２４が制御される。なお、電力情報を含まない場合には、予め定めた優先順位で電力を供給するようにしてもよいし、使用可能な電力を供給するようにしてもよいし、値段の安い電力を供給するようにしてもよい。
【００７５】
一方ステップ１１６では、パスワードが不整合である旨がサーバ１４に返信されてステップ１１８へ移行する。
【００７６】
ステップ１１８では、システムのオフ指示が行われたか否かが判定される。該判定は、例えば、ＨＥＭＳ１２の電源オフ等の指示が操作部５２によって行われたか否か等を判定し、該判定が否定された場合にはステップ１００に戻って上述の処理が繰り返され、判定が肯定された場合には一連の処理を終了する。
【００７７】
次に、サーバ１４で行われる処理について説明する。図６は、本発明の第１実施形態に係わる住宅電力制御システム１０におけるサーバ１４で行われる処理の流れの一例を示すフローチャートである。
【００７８】
ステップ２００では、携帯端末装置１６からＩＤ、パスワード、及び操作コマンドを受信したか否か判定される。すなわち、ユーザが携帯端末装置１６を操作して、上述のステップ１０４で表示されたパスワードを使用して、家電機器２０の遠隔操作を行う指示を行ったか否か判定され、該判定が肯定された場合にはステップ２０２へ移行し、否定された場合にはステップ２０８へ移行する。
【００７９】
ステップ２０２では、ＩＤに対応するＨＥＭＳ１２にパスワード及び操作コマンドがネットワーク１８を介して転送されてステップ２０４へ移行する。これによってＨＥＭＳ１２の処理における上述ステップ１１０の判定が肯定される。
【００８０】
ステップ２０４では、パスワード不整合を受信したか否かが判定される。すなわち、上述のステップ１１６でパスワードが不整合である旨が送信されたか否か判定され、該判定が肯定された場合にはステップ２０６へ移行し、否定された場合にはステップ２０８へ移行する。
【００８１】
ステップ２０６では、パスワードが不整合である旨が携帯端末装置１６へ転送されてステップ２０８へ移行する。
【００８２】
ステップ２０８では、他の処理が要求されたか否か判定される。すなわち、携帯端末装置１６やＨＥＭＳ１２からの要求以外の処理が指示されたか否か等が判定され、該判定が否定された場合にはステップ２００に戻って上述の処理が繰り返され、判定が肯定された場合には一連の処理を終了して要求された処理が開始される。
【００８３】
このように処理を行うことにより、上述したように、家電機器２０を遠隔操作するためのパスワードをＨＥＭＳ１２で発行して、当該パスワードを利用した家電機器２０の遠隔操作が可能となる。また、パスワードを所定期間毎（例えば、発行要求毎や、予め定めた時間毎）に発行して更新することにより、セキュリティを向上することができる。
【００８４】
また、本実施形態では、家電機器２０を遠隔操作する際の電力についても操作コマンドに含めて指示することが可能であるため、利便的な遠隔操作を提供することができる。
（第２実施形態）
第１実施形態では、ＨＥＭＳ１２が家電機器２０を遠隔操作する際のパスワード発行を行う場合について説明したが、第２実施形態では、サーバ１４がパスワードを発行する場合について説明する。
【００８５】
具体的には、図７に示すように、サーバ１４が所定期間毎にパスワードを生成してＨＥＭＳ１２にネットワーク１８を介して発行する。これによってＨＥＭＳ１２は、発行されたパスワードを表示部５０に表示することによりユーザへパスワードを発行する。
【００８６】
ユーザは、表示部５０に表示されたパスワードを確認して、外出先等から携帯端末装置１６を操作して家電機器２０を遠隔操作する際に、パスワード、予め定めたＩＤ（ＨＥＭＳ１２を識別するための識別情報等）、及び操作コマンド（操作対象の家電機器２０及び当該操作の操作内容を少なくとも含む操作情報）を携帯端末装置１６に入力することにより、携帯端末装置１６から入力された情報をサーバ１４に送信する。
【００８７】
そして、サーバ１４では、発行した最新のパスワードと、携帯端末装置１６から送信されるパスワードとを照合して、パスワードが一致する場合に、ＨＥＭＳを特定するためのＩＤと、当該ＩＤに対応するアドレス情報（ＩＰアドレス等）を予め記憶しておくことで、携帯端末装置１６から送信される情報（操作コマンド）を対応するＨＥＭＳ１２へ送信する。
【００８８】
これによって、ＨＥＭＳ１２では、サーバ１４から送信される操作コマンドで指示された制御に対応する動作を行うように家電機器２０を制御する。例えば、ＨＡ端子制御等を利用して家電機器２０を制御する。これによってセキュリティを向上した遠隔制御を行うことができる。
【００８９】
また、操作コマンドとしては、家電機器の動作開始などの操作コマンドの他に、優先的に供給する電力を表す電力情報を含めることが可能とされ、ＨＥＭＳでは、操作コマンドに含まれる電力情報が指定する電力を優先的に供給するように制御するようになっている。すなわち、太陽光発電装置２８からの電力を優先するのか、蓄電池３０の蓄電電力の供給を優先するか、或いは他の電力（系統電力２６や車両用蓄電池３６など）の供給を優先するのか等についても遠隔制御が可能とされている。なお、操作コマンドとして使用可能な電力を自動的に選択する指示を電力情報として含むようにしてもよいし、予め定めた優先順位で電力を供給する指示を操作コマンドに含むようにしてもよい。
【００９０】
続いて、本発明の第２実施形態に係わる住宅電力制御システムで行われる具体的な処理について説明する。なお、以下においても、携帯端末装置１６の処理は、操作コマンドの入力及び送信、並びにパスワード不整合時の通知が行われる程度であるため、詳細な説明は省略する。
【００９１】
まず、ＨＥＭＳ１２で行われる処理について説明する。図８は、本発明の第２実施形態に係わる住宅電力制御システム１０におけるＨＥＭＳ１２で行われる処理の流れの一例を示すフローチャートである。
【００９２】
ステップ３００では、パスワードを受信したか否かがＣＰＵ４０によって判定される。該判定は、後述するサーバ１４の処理によって所定期間毎に生成されたパスワードを受信したか否かを判定し、該判定が肯定された場合にはステップ３０２へ移行し、否定された場合にはステップ３１０へ移行する。
【００９３】
ステップ３０２では、パスワードを表示する指示が操作部５２によって行われたか否かがＣＰＵ４０によって判定され、該判定が肯定された場合にはステップ３０４へ移行する。
【００９４】
ステップ３０４では、サーバ１４から受信したパスワードが表示部５０に表示されてステップ３０６へ移行する。これによってユーザが家電機器２０を遠隔操作する際の最新のパスワードを確認することができる。
【００９５】
ステップ３０６では、所定時間経過したか否か判定され、該判定が肯定されるまで待機してステップ３０８へ移行する。
【００９６】
ステップ３０８では、ＨＥＭＳ１２を操作するための予め定めたメイン画面が表示されてステップ３１０へ移行する。すなわち、発行されたパスワードの表示をメインに行われる画面が所定時間表示された後にメイン画面へ移行する。なお、このとき、最新のパスワードをメイン画面の所定の位置に表示するようにしてもよい。これによって他の住人がパスワード表示要求を行わなくても最新のパスワードを確認することが可能となる。また、本実施形態では、所定時間経過後にメイン画面へ移行するものとするが、メイン画面へ移行指示が行われた場合にメイン画面へ移行するようにしてもよい。
【００９７】
ステップ３１０では、操作コマンドをサーバ１４から受信したか否かがＣＰＵ４０によって判定され、該判定が否定された場合にはステップ３００に戻って上述の処理が繰り返され、判定が肯定された場合にはステップ３１２へ移行する。すなわち、本実施形態では、後述するサーバ１４の処理によってパスワードの照合が行われてパスワードが一致する場合にはサーバ１４から操作コマンドが送信されるので、当該送信コマンドを受信する。
【００９８】
ステップ３１２では、操作コマンドに対応する制御が実行されてステップ３１４へ移行する。すなわち、携帯端末装置１６からサーバ１４経由で送信された操作コマンドに対応する処理が行われるように家電機器２０がＨＥＭＳ１２によって制御され、遠隔操作が行われる。また、操作コマンドに優先的に供給する電力を指示する電力情報が含まれている場合には、操作コマンドで指示された電力を家電機器２０へ供給するように電力供給が制御される。より具体的には、操作コマンドで指示された電力が家電機器へ供給されるように分電盤２４が制御される。なお、電力情報を含まない場合には、予め定めた優先順位で電力を供給するようにしてもよいし、使用可能な電力を供給するようにしてもよいし、値段の安い電力を供給するようにしてもよい。
【００９９】
ステップ３１４では、システムのオフ指示が行われたか否かが判定される。該判定は、例えば、ＨＥＭＳ１２の電源オフ等の指示が操作部５２によって行われたか否か等を判定し、該判定が否定された場合にはステップ３００に戻って上述の処理が繰り返され、判定が肯定された場合には一連の処理を終了する。
【０１００】
次に、サーバ１４で行われる処理について説明する。図９は、本発明の第２実施形態に係わる住宅電力制御システム１０におけるサーバ１４で行われる処理の流れの一例を示すフローチャートである。
【０１０１】
ステップ４００では、前回のパスワード生成後、所定時間経過したか否か判定され、該判定が肯定された場合にはステップ４０２へ移行し、否定された場合にはステップ４０６へ移行する。
【０１０２】
ステップ４０２では、パスワードが生成されてステップ４０４へ移行する。すなわち、サーバ１４において遠隔操作を行うためのパスワードが更新される。
【０１０３】
ステップ４０４では、生成されたパスワードがＨＥＭＳ１２へ送信されてステップ４０６へ移行する。すなわち、所定期間毎にパスワードがサーバ１４で生成されてＨＥＭＳ１２に発行される。これによってＨＥＭＳ１２における上述ステップ３００の判定が肯定されてＨＥＭＳ１２の表示部５０に最新のパスワードを表示することができる。
【０１０４】
ステップ４０６では、携帯端末装置１６からＩＤ、パスワード、及び操作コマンドを受信したか否か判定される。すなわち、ユーザが携帯端末装置１６を操作して、上述のステップ３０４で表示されたパスワードを使用して、家電機器２０の遠隔操作を行う指示を行ったか否かが判定され、該判定が肯定された場合にはステップ４０８へ移行し、否定された場合にはステップ４００に戻って上述の処理が繰り返される。
【０１０５】
ステップ４０８では、携帯端末装置１６から送信されてきたパスワードが、サーバ１４が発行した最新のパスワードと一致するか否かが判定され、該判定が肯定された場合にはステップ４１０へ移行し、否定された場合にはステップ４１２へ移行する。
【０１０６】
ステップ４１０では、ＩＤに対応するＨＥＭＳ１２へ操作コマンドが転送されてステップ４１４へ移行する。これによってＨＥＭＳ１２における上述のステップ３１０の判定が肯定されて操作コマンドに応じた処理がＨＥＭＳ１２によって実行される。
【０１０７】
一方、ステップ４１２では、パスワードが不整合である旨が携帯端末装置１６に返信されてステップ４１４へ移行する。
【０１０８】
ステップ４１４では、他の処理が要求されたか否か判定される。すなわち、携帯端末装置１６やＨＥＭＳ１２からの要求以外の処理が指示されたか否か等が判定され、該判定が否定された場合にはステップ４００に戻って上述の処理が繰り返され、判定が肯定された場合には一連の処理を終了して要求された処理が開始される。
【０１０９】
このように処理を行うことにより、上述したように、家電機器２０を遠隔操作するためのパスワードをサーバ１４側で発行して、当該パスワードを利用した家電機器２０の遠隔操作が可能となる。また、パスワードを所定期間毎に発行して更新することにより、セキュリティを向上することができる。
【０１１０】
また、本実施形態においても、第１実施形態同様に、家電機器２０を遠隔操作する際の電力についても操作コマンドに含めて指示することが可能であるため、利便的な遠隔操作を提供することができる。
【０１１１】
なお、上記の実施の形態では、住宅２２に設けられた電力の種類として、系統電力２６からの電力、太陽光発電装置２８の発電電力、蓄電池３０の蓄電電力、及び車両用蓄電池３６の蓄電電力を一例として説明したが、これに限るものではなく、燃料電池などの他の発電電力などを更に備えるようにしてもよいし、適宜組み合わせてもよい。
【０１１２】
また、上記の実施の形態で使用するパスワードとしては、文字や数値などのパスワードを適用するようにしてもよいし、ＱＲコードなどを適用するようにしてもよい。ＱＲコードを適用する場合には、携帯端末装置１６にカメラ機能を備えておけば、ＨＥＭＳ１２の表示部５０にパスワードとしてＱＲコードを表示することで、携帯端末装置１６で撮影することで遠隔操作時のパスワードを容易に取得することが可能となる。
【０１１３】
また、上記の実施の形態では、携帯端末装置１６から家電機器２０を遠隔操作する場合を例に説明したが、これに限るものではなく、他の装置から遠隔操作を行うようにしてもよいし、ＨＥＭＳ１２の操作部５２を操作して家電機器２０を遠隔操作するようにしてもよい。
【符号の説明】
【０１１４】
１０    住宅電力制御システム
１２    ＨＥＭＳ
１４    サーバ
１６    携帯端末装置
１８    ネットワーク
２０    家電機器
２６    系統電力
２８    太陽光発電装置
３０    蓄電池
３６    車両用蓄電池
５０    表示部
５２    操作部
【図１】
2013026979.tif 000003
【図２】
2013026979.tif 000004
【図３】
2013026979.tif 000005
【図４】
2013026979.tif 000006
【図５】
2013026979.tif 000007
【図６】
2013026979.tif 000008
【図７】
2013026979.tif 000009
【図８】
2013026979.tif 000010
【図９】
2013026979.tif 000011